(57)【特許請求の範囲】
【請求項１】
所要の長さを有した半割り円筒体の分割端外側に突出片を対設させると共に、該半割り円筒体の表面に針棒体を多数突出させた営巣防止バリヤーと、前記半割り円筒体の適宜個所に被着して営巣防止バリヤーを支持させる挟持具と、長手方向両端に上記営巣防止バリヤーを挟持具により止着させる支持腕とからなり、該支持腕の長手方向中間部の下面には電柱の腕金に止着させる腕金取付枠を設けたことを特徴とする開閉器用営巣防止具。
【請求項２】
所要の長さを有した半割り円筒体の分割端外側に突出片を対設させると共に、該半割り円筒体の表面に針棒体を多数突出させた営巣防止バリヤーと、前記半割り円筒体の中央部に被着して営巣防止バリヤーを支持させる挟持具と、一端に上記営巣防止バリヤーを挟持具により止着させる支持腕とからなり、該支持腕の他端の下面には電柱の腕金に装着させる腕金取付枠を設けたことを特徴とする開閉器用営巣防止具。
【請求項３】
所要の長さを有した半割り円筒体の分割端外側に突出片を対設させると共に、該半割り円筒体の表面に針棒体を多数突出させた営巣防止バリヤーと、前記半割り円筒体の両端に被着して営巣防止バリヤーを支持させる挟持具と、営巣防止バリヤーをそれぞれ挟持具により止着させる二本の支持腕とからなり、該各支持腕の他端の下面には電柱の腕金に装着させる腕金取付枠を設けたことを特徴とする開閉器用営巣防止具。
【発明の詳細な説明】
【０００１】
【発明の属する技術分野】
本発明は、電柱上で腕金を利用して設置された開閉器上に鳥類等が営巣する行為を防止するための営巣防止具に関するものである。
【０００２】
【従来の技術】
従来、電柱上に設置された開閉器の上方には、他の柱上機器等が接近して設置されていたりしてスペースが狭くなり勝ちで、鳥類等が営巣する行為を行なうのを防止するための適切な対策が取りにくい問題があった。
【０００３】
【発明が解決しようとする課題】
このために、開閉器上が狭いスペースであるにも拘わらず、鳥類等が営巣行為をなし、集めた営巣材料に混入した金属線等や鳥類等が活線や他の柱上機器に接触したりして短絡事故を引き起こすことがあった。
そこで本発明は、開閉器上の狭いスペースであっても、腕金を利用して簡単に設置することができる、開閉器用営巣防止具を提供することを目的とするものである。
【０００４】
【課題を解決するための手段】
かかる目的を達成するために本発明に係わる開閉器用営巣防止具は、所要の長さを有した半割り円筒体の分割端外側に突出片を対設して、該半割り円筒体の表面に針棒体を多数突出させた一対をなす営巣防止バリヤーと、前記半割り円筒体の中央部に被着して営巣防止バリヤーを支持させる挟持具と、長手方向両端に営巣防止バリヤーを挟持具により止着させる支持腕とからなり、該営業防止バリヤーを両端に止着した支持腕には長手方向中間部の下面に電柱に固設された腕金に装着させる腕金取付枠を設け、前記腕金取付枠を腕金に装着して固定させることで簡単に取り付けて使用できるようにした。
【０００５】
また、所要の長さを有した半割り円筒体の分割端外側に突出片を突出させ、さらに、前記半割り円筒体の表面に針棒体を多数突出させた営巣防止バリヤーの中央部または両端を支持腕により支持させて、該支持腕の他端の下面に設けた腕金取付枠を電柱の腕金に固設させることにより狭いスペースに簡単に取り付けて使用できるようにした。
【０００６】
【発明の実施の形態】
以下に本発明に係わる開閉器用営巣防止具の実施の形態を図面と共に説明する。図１において、１，１は営巣防止バリヤーであり、２はこれらの営巣防止バリヤー１，１を固定支持させる支持腕である。
営巣防止バリヤー１，１は所要の長さを有した半割り円筒体３の頂部と両側とに多数の針棒体４を列状に突出させている。該半割り円筒体３に直線状に設けた分割端の外側に突出片５，５を対設している。
６は営巣防止バリヤー１を挟持させる挟持具であり、半割り円筒体３に被着させる半割り円環部６ａの下端に垂直片部６ｂ，６ｂを延設して形成される。
【０００７】
前記支持腕２の長手方向両端には、細長い板材よりなる支持片７，７を固設している。
また、支持腕２の長手方向の中央位置付近の下面に門形をなした下面で開口する腕金取付枠８を固設し、該腕金取付枠８の左右側壁９，９の下部にボルト・ナット１０を貫通させるようにしている。
【０００８】
そして、営巣防止バリヤー１，１の半割り円筒体３の中央部に所定の間隔を隔てて２個の挟持具６，６の半割り円環部６ａ，６ａを被着させ、さらに該半割り円筒体３の中央部で突出片５，５の下端に、支持腕２の両端に固設した支持片７の上端を突き合わせて該支持片７を挟持具６の垂直片部６ｂ，６ｂと支持片７にボルト・ナット１１を貫通して締止させる。
【０００９】
図２はこのように形成した営巣防止具Ａの使用例を示すものであり、電柱Ｐの上部に固設された腕金Ｂの下方に開閉器Ｓが設置されている。
前記腕金Ｂに営巣防止具Ａの支持腕２の下面に固設した腕金支持枠１０を冠着させ、腕金Ｂの下面で側壁９，９にボルト・ナット１０を貫通させて締止することで営巣防止具Ａの取り付けは完了する。
【００１０】
このようにして開閉器Ｓの上方で腕金Ｂに取り付けられた営巣防止具Ａは支持腕２の両端に直交状に固設した営巣防止バリヤー１，１の多数の針棒体４に遮ぎられて鳥類等が開閉器Ｓ上に営巣しようとする行為を防止する。
【００１１】
図３に示したものは支持腕２の一方端のみに営巣防止バリヤー１を固設し、支持腕２の他方端下面に腕金取付枠８を固設した実施の形態である。この営巣防止具Ａ１は支持腕２の一方端に折曲片部１２を直立させ、その上端に横に長い支持片７を設け、この支持片７の両先端に営巣防止バリヤー１の中央部を挟持させた挟持具６，６下端の垂直片部６ｂ，６ｂを重ね合わせてボルト・ナット１１を貫通させて締止させるようにしている。
【００１２】
また、図５に示したものは１本の営巣防止バリヤー１の長手方向両端をそれぞれ支持腕２，２で支持させるようにした実施の形態である。この営巣防止具Ａ２は支持腕２，２は短かくしてその一方端に折曲片部１２を直立させている。支持腕２の他端下面に図３に示した営巣防止具Ａ１と同様に腕金取付枠８を固設している。
そして、半割り円筒体３の両端にそれぞれ挟持具６，６の円環部６ａを被着させて垂直片部６ｂ，６ｂで突出片５，５を挟持させ、該突出片５，５の下端に支持腕２の折曲片部１２の上端を突き合わせ、重合する垂直片部６ｂ，６ｂと折曲片部１２にボルト・ナット１１を貫通して締止させる。
【００１３】
このように構成した営巣防止具Ａ２は、図６に示すようにＡ１の営巣防止具同様に電柱Ｐに対向させて固設した腕金Ｂの一方の腕金Ｂに、各支持腕２，２の腕金取付枠８，８を装着し、腕金Ｂの下面で側壁９，９にボルト・ナット１０を貫通させて締止することで取り付けを完了し、営巣防止バリヤー１が対向する腕金Ｂの中間に位置して、鳥類等が開閉機Ｓ上に営巣しようとする行為を防止する。なお、営巣防止具Ａ２は、営巣防止バリヤー１の両端に設けた支持腕２，２で腕金Ｂに支持するため柱上に安定して設置され強風等に対して十分耐えることができる。
【００１４】
このように形成された営巣防止具Ａ１，Ａ２は何れもいわゆる片持ち式であり、図１に示した２組の営巣防止バリヤー１を設けた営巣防止具Ａがスペースの制約等で使用できないような場合等に狭いスペースにも取り付けて使用することができるものである。
【００１５】
【発明の効果】
以上に述べたように本発明に係わる開閉器用営巣防止具は、予め組み立てた営巣防止具の腕金取付枠を開閉器の上方で腕金に装着して、ボルト・ナットで締付することで簡単に設置できる。
そして、支持腕の両端又は一方端に直交させた営巣防止バリヤーに突出させた多数の針棒体で鳥類等が接近したり開閉器上に止まって営巣する行為を確実に防止させることができる。
【図面の簡単な説明】
【図１】本発明に係わる開閉器用営巣防止具の斜視図。
【図２】図１に示す開閉器用営巣防止具Ａの使用状態の正面図。
【図３】支持腕の一方端のみに営巣防止バリヤーを設けた開閉器用営巣防止具Ａ１の斜視図。
【図４】図３に示す開閉器用営巣防止具Ａ１の使用状態の正面図。
【図５】２本の支持腕で営巣防止バリヤーを支持させた開閉器用営巣防止具Ａ２の斜視図。
【図６】図５に示す開閉器用営巣防止具Ａ２の使用状態の斜視図。
【符号の説明】
１，１          営巣防止バリヤー
２              支持腕
３              半割り円筒体
４              針棒体
５，５          突出片
６，６          挟持具
８              腕金取付枠
Ａ，Ａ，Ａ１    営巣防止具
Ｂ              腕金
Ｐ              電柱
Ｓ              開閉器
【図１】
0003667466.tif 000002
【図２】
0003667466.tif 000003
【図３】
0003667466.tif 000004
【図４】
0003667466.tif 000005
【図５】
0003667466.tif 000006
【図６】
0003667466.tif 000007